(57)【要約】【課題】伝搬路推定用シンボルが等間隔で挿入されていても、復調精度の劣化しないインターリーブ方法を用いた無線送信装置【解決手段】複数のサブキャリアを含むマルチキャリア信号を送信する無線送信装置において、周波数方向に所定の数だけ離れたサブキャリアを隣接するように並び替え、さらにこの並び替え後に隣接する前記所定の数のサブキャリアのグループ内でグループ毎に固有の数だけ循環的にシフトさせた位置に、複数のサブキャリアを再配置するインターリーブ手段を具備することを特徴とする無線送信装置。【選択図】図２
2009021934.tif 000002
【特許請求の範囲】
【請求項１】
複数のサブキャリアを含むマルチキャリア信号を送信する無線送信装置において、
周波数方向に所定の数またはその倍数だけ離れた前記サブキャリアを隣接するように並び替え、さらにこの並び替え後に隣接する前記所定の数のサブキャリアのグループ内でグループ毎に固有の数だけ循環的にシフトさせた位置に、前記複数のサブキャリアを再配置するインターリーブ手段を具備することを特徴とする無線送信装置。
【請求項２】
前記マルチキャリア信号は、周波数方向に一定のサブキャリア数を周期に伝搬路推定用シンボルが挿入されており、
前記所定の数は、前記一定のサブキャリア数であることを特徴とする請求項１に記載の無線送信装置。
【請求項３】
前記マルチキャリア信号は、周波数方向に隣接する一定数のサブキャリア毎に固有の位相回転量を与えられており、
前記所定の数は、前記一定数であることを特徴とする請求項１に記載の無線送信装置。
【請求項４】
前記マルチキャリア信号は、周波数方向に隣接する一定数のサブキャリア毎に、複数のアンテナのうちの１つから送信され、
前記所定の数は、前記一定数であることを特徴とする請求項１に記載の無線送信装置。
【請求項５】
複数のサブキャリアを含むマルチキャリア信号を送信する無線送信装置におけるインターリーブ方法であって、
前記無線送信装置が、周波数方向に所定の数またはその倍数だけ離れた前記サブキャリアを隣接するように並び替え、さらにこの並び替え後に隣接する前記所定の数のサブキャリアのグループ内でグループ毎に固有の数だけ循環的にシフトさせた位置に、前記複数のサブキャリアを再配置する過程を具備することを特徴とする無線送信装置におけるインターリーブ方法。
【請求項６】
複数のサブキャリアを含むマルチキャリア信号を送信する無線送信装置における無線送信方法であって、
前記無線送信装置が、周波数方向に所定の数またはその倍数だけ離れた前記サブキャリアを隣接するように並び替え、さらにこの並び替え後に隣接する前記所定の数のサブキャリアのグループ内でグループ毎に固有の数だけ循環的にシフトさせた位置に、前記複数のサブキャリアを再配置する過程を具備することを特徴とする無線送信方法。
【請求項７】
複数のサブキャリアを含むマルチキャリア信号を受信する無線受信装置において、
隣接する所定の数のサブキャリアのグループ内でグループ毎に固有の数だけ循環的にシフトさせ、さらにこのシフト後に隣接するサブキャリアを周波数方向に前記所定の数またはその倍数だけ離れるように並び替えた位置に、前記複数のサブキャリアを再配置するデインターリーブ手段
を具備することを特徴とする無線受信装置。
【請求項８】
前記マルチキャリア信号は、周波数方向に一定のサブキャリア数を周期に伝搬路推定用シンボルが挿入されており、
前記所定の数は、前記一定のサブキャリア数であることを特徴とする請求項７に記載の無線受信装置。
【請求項９】
前記マルチキャリア信号は、送信される際に、周波数方向に隣接する一定数のサブキャリア毎に固有の位相回転量を与えられており、
前記所定の数は、前記一定数であることを特徴とする請求項７に記載の無線受信装置。
【請求項１０】
前記マルチキャリア信号は、周波数方向に隣接する一定数のサブキャリア毎に、複数のアンテナのうちの１つから送信され、
前記所定の数は、前記一定数であることを特徴とする請求項７に記載の無線受信装置。
【請求項１１】
複数のサブキャリアを含むマルチキャリア信号を送信する無線送信装置と、前記マルチキャリア信号を受信する無線受信装置とを備える無線通信システムにおいて、
前記無線送信装置は、
周波数方向に所定の数またはその倍数だけ離れた前記サブキャリアを隣接するように並び替え、さらにこの並び替え後に隣接する前記所定の数のサブキャリアのグループ内でグループ毎に固有の数だけ循環的にシフトさせた位置に、前記複数のサブキャリアを再配置するインターリーブ手段を具備し、
前記無線受信装置は、
受信したマルチキャリア信号の複数のサブキャリアについて、隣接する前記所定の数のサブキャリアのグループ内でグループ毎に固有の数だけ循環的にシフトさせ、さらにこのシフト後に隣接するサブキャリアを周波数方向に前記所定の数またはその倍数だけ離れるように並び替えた位置に、再配置するデインターリーブ手段を具備すること
を特徴とする無線通信システム。
【発明の詳細な説明】
【技術分野】
【０００１】
本発明は、無線送信装置、インターリーブ方法、無線送信方法、無線受信装置、無線通信システム、特にマルチキャリア信号を用いて通信する無線送信装置、インターリーブ方法、無線送信方法、無線受信装置、無線通信システムに関する。
【背景技術】
【０００２】
従来、マルチキャリア伝送方式を用いた無線通信に於いてデータの伝送誤りを引起こす要因の一つとして、遅延波によるマルチパスフェージングがある。マルチパスフェージングの軽減/防止対策として、誤り訂正符号化が行われている。更に誤り訂正の効果を上げるために、時間、周波数インターリーブを行っている。マルチキャリア伝送方式における周波数インターリーブの方法としては、図１３のように連続したサブキャリアを等間隔に配置する方法がある（例えば、特許文献１）。
すなわち、図１３に示す例では、サブキャリア１〜６を、６サブキャリア毎に等間隔に配置し、サブキャリア７〜１２については、サブキャリア７をサブキャリア１の隣に配置し、サブキャリア８をサブキャリア２の隣に配置し、というように、６サブキャリア毎に等間隔に配置し、以下、これを繰り返して、全てのサブキャリアを配置する。
【０００３】
また、マルチキャリア伝送方式を用いた無線通信に於いて、受信側の復調処理では、無線伝搬路推定が行われる。復調処理では、伝搬路推定用シンボルを用いて無線伝搬路を推定し、推定した結果を元にデータシンボルに対して伝搬路補償を行い、データの復調を行っている。伝搬路推定用シンボルは、伝搬路推定精度の点から考慮すると全サブキャリアに挿入されることが望まれるが、通信システムのスループットや周波数利用効率に影響するので、伝搬路推定用シンボル数を制限して利用することが多い。
【０００４】
例えば、図１４に示す例では、送信フレームの先頭のシンボル内に６サブキャリア周期で等間隔に伝搬路推定用シンボルが配置されている。伝搬路推定は、例えば、受信側が予め伝搬路推定用シンボルを知っており、この予め知っている伝搬路推定用シンボルから受信した伝搬路推定用シンボルへの変動を求めることで行う。このため、伝搬路推定用シンボルが挿入されていないサブキャリアにおいては、伝搬路推定用シンボルが挿入されているサブキャリアの推定値を用いて、例えば線形補間などをして求める。受信側は、このようにして求めた各サブキャリアの伝搬路推定結果を用いて、データシンボルを復調する。このとき、伝搬路推定結果Ｅ１と実伝搬路Ｒ１との間には、特に伝搬路推定用シンボルが挿入されていないサブキャリアにおいて、伝搬路推定誤差が生じる。
【特許文献１】特開平９−２７８３２号公報
【発明の開示】
【発明が解決しようとする課題】
【０００５】
図１４のように伝搬路推定用シンボルが等間隔で挿入されている場合の伝搬路推定において、通常、伝搬路推定用シンボル間サブキャリアの伝搬路は線形補間されて伝搬路推定される。このため、伝搬路推定結果においては、伝搬路推定用シンボルから遠い位置にあるシンボルの伝搬路推定結果の誤差は大きいと考えられる。
上記の様な伝搬路推定を行うような場合において、伝搬路推定用シンボルの挿入間隔で周波数インターリーブを行う場合の例を図１５示す。図１５−（ａ）は、送信側のインターリーブ後の出力データである。この場合の受信側でのデインターリーブ後の出力データは図１５−（ｂ）の様になり、伝搬路推定用シンボルとデータシンボルの位置関係は、伝搬路推定シンボル付近のデータシンボルと遠い位置のデータシンボルがともにかたまるように配置され、伝搬路推定結果の誤差は大きいためにデータの誤差が大きいと考えられるシンボル同士が並び、誤り訂正を含んだ符号化データの復調精度が劣化するという問題がある。
【０００６】
本発明は、このような事情に鑑みてなされたもので、その目的は、伝搬路推定用シンボルが等間隔で挿入されていても、復調精度の劣化しないインターリーブ方法および該インターリーブ方法を用いた無線送信装置、送信方法、無線受信装置、無線通信システムを提供することにある。
【課題を解決するための手段】
【０００７】
この発明は上述した課題を解決するためになされたもので、本発明の無線送信装置は、複数のサブキャリアを含むマルチキャリア信号を送信する無線送信装置において、周波数方向に所定の数またはその倍数だけ離れた前記サブキャリアを隣接するように並び替え、さらにこの並び替え後に隣接する前記所定の数のサブキャリアのグループ内でグループ毎に固有の数だけ循環的にシフトさせた位置に、前記複数のサブキャリアを再配置するインターリーブ手段を具備することを特徴とする。
【０００８】
これにより、無線送信装置は、伝搬路推定用シンボルが等間隔で挿入されていても、データシンボルの伝搬路推定用シンボルからの距離に偏りを生じないため、受信側にて復調精度が劣化しない信号を送信することができる。
【０００９】
また、本発明の無線送信装置は、上述の無線送信装置であって、前記マルチキャリア信号は、周波数方向に一定のサブキャリア数を周期に伝搬路推定用シンボルが挿入されており、  前記所定の数は、前記一定のサブキャリア数であることを特徴とする。
【００１０】
これにより、無線送信装置は、データシンボルの伝搬路推定用シンボルからの距離に偏りを生じないため、受信側にて復調精度が劣化しない信号を送信することができる。
【００１１】
また、本発明の無線送信装置は、上述の無線送信装置であって、前記マルチキャリア信号は、周波数方向に隣接する一定数のサブキャリア毎に固有の位相回転量を与えられており、  前記所定の数は、前記一定数であることを特徴とする。
【００１２】
これにより、無線送信装置は、固有の位相回転量を与えられている一定数のサブキャリア毎に伝搬路推定用シンボルが挿入されていても、データシンボルの伝搬路推定用シンボルからの距離に偏りを生じないため、受信側にて復調精度が劣化しない信号を送信することができる。
【００１３】
また、本発明の無線送信装置は、上述の無線送信装置であって、前記マルチキャリア信号は、周波数方向に隣接する一定数のサブキャリア毎に、複数のアンテナのうちの１つから送信され、前記所定の数は、前記一定数であることを特徴とする。
【００１４】
これにより、無線送信装置は、送信するアンテナが同じ一定数のサブキャリア毎に伝搬路推定用シンボルが挿入されていても、データシンボルの伝搬路推定用シンボルからの距離に偏りを生じないため、受信側にて復調精度が劣化しない信号を送信することができる。
【００１５】
また、本発明のインターリーブ方法は、複数のサブキャリアを含むマルチキャリア信号を送信する無線送信装置におけるインターリーブ方法であって、前記無線送信装置が、周波数方向に所定の数またはその倍数だけ離れた前記サブキャリアを隣接するように並び替え、さらにこの並び替え後に隣接する前記所定の数のサブキャリアのグループ内でグループ毎に固有の数だけ循環的にシフトさせた位置に、前記複数のサブキャリアを再配置する過程を具備することを特徴とする。
【００１６】
これにより、インターリーブ方法は、伝搬路推定用シンボルが等間隔で挿入されていても、データシンボルの伝搬路推定用シンボルからの距離に偏りを生じないため、受信側にて復調精度が劣化しない信号を生成することができる。
【００１７】
また、本発明の無線送信方法は、複数のサブキャリアを含むマルチキャリア信号を送信する無線送信装置における無線送信方法であって、前記無線送信装置が、周波数方向に所定の数またはその倍数だけ離れた前記サブキャリアを隣接するように並び替え、さらにこの並び替え後に隣接する前記所定の数のサブキャリアのグループ内でグループ毎に固有の数だけ循環的にシフトさせた位置に、前記複数のサブキャリアを再配置する過程を具備することを特徴とする。
【００１８】
これにより、無線送信方法は、伝搬路推定用シンボルが等間隔で挿入されていても、データシンボルの伝搬路推定用シンボルからの距離に偏りを生じないため、受信側にて復調精度が劣化しない信号を送信することができる。
【００１９】
また、本発明の無線受信装置は、複数のサブキャリアを含むマルチキャリア信号を受信する無線受信装置において、隣接する前記所定の数のサブキャリアのグループ内でグループ毎に固有の数だけ循環的にシフトさせ、さらにこのシフト後に隣接するサブキャリアを周波数方向に所定の数またはその倍数だけ離れるように並び替えた位置に、前記複数のサブキャリアを再配置するデインターリーブ手段を具備することを特徴とする。
【００２０】
これにより、無線受信装置は、伝搬路推定用シンボルが等間隔で挿入されていても、データシンボルの伝搬路推定用シンボルからの距離に偏りを生じないため、精度を劣化せずに復調することができる。
【００２１】
また、本発明の無線受信装置は、上述の無線受信装置であって、前記マルチキャリア信号は、周波数方向に一定のサブキャリア数を周期に伝搬路推定用シンボルが挿入されており、前記所定の数は、前記一定のサブキャリア数であることを特徴とする。
【００２２】
また、本発明の無線受信装置は、上述の無線受信装置であって、前記マルチキャリア信号は、送信される際に、周波数方向に隣接する一定数のサブキャリア毎に固有の位相回転量を与えられており、前記所定の数は、前記一定数であることを特徴とする。
【００２３】
また、本発明の無線受信装置は、上述の無線受信装置であって、前記マルチキャリア信号は、周波数方向に隣接する一定数のサブキャリア毎に、複数のアンテナのうちの１つから送信され、前記所定の数は、前記一定数であることを特徴とする。
【００２４】
また、本発明の無線通信システムは、複数のサブキャリアを含むマルチキャリア信号を送信する無線送信装置と、前記マルチキャリア信号を受信する無線受信装置とを備える無線通信システムにおいて、前記無線送信装置は、周波数方向に所定の数またはその倍数だけ離れた前記サブキャリアを隣接するように並び替え、さらにこの並び替え後に隣接する前記所定の数のサブキャリアのグループ内でグループ毎に固有の数だけ循環的にシフトさせた位置に、前記複数のサブキャリアを再配置するインターリーブ手段を具備し、前記無線受信装置は、受信したマルチキャリア信号の複数のサブキャリアについて、隣接する前記所定の数のサブキャリアのグループ内でグループ毎に固有の数だけ循環的にシフトさせ、さらにこのシフト後に隣接するサブキャリアを周波数方向に前記所定の数またはその倍数だけ離れるように並び替えた位置に、再配置するデインターリーブ手段を具備することを特徴とする。
【発明の効果】
【００２５】
この発明によれば、伝搬路推定用シンボルが等間隔で挿入されていても、データシンボルの伝搬路推定用シンボルからの距離に偏りを生じないため、復調精度が劣化しないインターリーブ方法および該インターリーブ方法を用いた無線送信装置、送信方法、無線受信装置、無線通信システムを提供できる。
【発明を実施するための最良の形態】
【００２６】
［第１の実施形態］
以下、図面を参照して、本発明の第１の実施形態について説明する。図１は、本実施形態における送信フレームフォーマットである。図１に示すように、本実施形態の送信フレームは、時間領域（第１シンボルから第７シンボル）の複数シンボル（データシンボルＤ）から構成され、伝搬路推定用シンボルＲは、ある時間領域（図１の例では第１シンボル）の１シンボル以上のシンボルに対し、一定周期のサブキャリア毎（図１では６サブキャリア周期）に挿入されている。
【００２７】
図２は、本実施形態における無線送信装置の構成を示す概略ブロック図である。無線送信装置は、符号化部１００１、伝搬路推定用シンボル生成部１００２、Ｓ／Ｐ変換部（シリアル／パラレル変換部）１００３、インターリーブ部１００４、ＩＦＦＴ部（Ｉｎｖｅｒｓｅ  Ｆａｓｔ  Ｆｏｕｒｉｅｒ  Ｔｒａｎｓｆｏｒｍ（逆高速フーリエ変換）部）１００５、Ｐ／Ｓ変換部（パラレル／シリアル変換部）１００６、ＧＩ挿入部（Ｇｕａｒｄ  Ｉｎｔｅｒｖａｌ（ガードインターバル）挿入部）１００７、Ａ／Ｄ変換部（アナログ／ディジタル変換部）１００８、ＲＦ部（Ｒａｄｉｏ  Ｆｒｅｑｕｅｎｃｙ（高周波）部）１００９、送信アンテナ１０１０から構成される。
【００２８】
符号化部１００１は、入力されたユーザーデータに対して、誤り訂正符号化などの処理を行い、データシンボルを生成する。伝搬路推定用シンボル生成部１００２は、伝搬路推定用シンボルを生成する。Ｓ／Ｐ変換部１００３は、ＩＦＦＴ部１００５の入力にデータをマッピングするために、符号化部１００１の生成したデータシンボルと、伝搬路推定用シンボル生成部１００２の生成した伝搬路推定用シンボルとからなるデータ列について、シリアル／パラレル変換を行う。インターリーブ部（インターリーブ手段）１００４は、Ｓ／Ｐ変換部１００３の変換結果を、サブキャリア単位でインターリーブを行う。インターリーブ部１００４が行うインターリーブの詳細は、後述する。
【００２９】
ＩＦＦＴ部１００５は、インターリーブ部１００４によるインターリーブ結果について、ＯＦＤＭ信号を生成するために逆高速フーリエ変換を行う。Ｐ／Ｓ変換部１００６は送信するためにＩＦＦＴ部１００５からの出力データを送信時系列に変換して出力する。ＧＩ挿入部１００７は、Ｐ／Ｓ変換部１００６の出力にガードインターバルを挿入する。Ａ／Ｄ変換部１００８は、ＧＩ挿入部１００７の出力について、ディジタルデータをアナログ信号に変換する。ＲＦ部１００９は、Ａ／Ｄ変換部１００８が出力したアナログ信号を、無線帯域周波数に周波数変換を行い、送信アンテナ１０１０から出力する。
【００３０】
本発明におけるインターリーブ部１００４によるインターリーブ方法を以下に示す。図３は、インターリーブ部１００４によるインターリーブを説明する図である。ここでは、伝搬路推定用シンボルが６サブキャリア周期毎に挿入され、３６サブキャリアがある場合の例を示す。尚、ここでは、わかりやすくするために、伝搬路推定用シンボルが挿入されていないシンボル（図１の送信フォーマットに対応すると第２シンボルから第７シンボル）のインターリーブについて説明する。
【００３１】
本実施形態におけるインターリーブ部１００４は、図３（ａ）に示す第一段階と図３（ｂ）に示す第二段階との２段階に分けてインターリーブを行う。まず、サブキャリア番号１、２、３、・・・３４、３５、３６の順に入力されると、インターリーブ部１００４は、第一段階として伝搬路推定用シンボルの挿入周期である６サブキャリア毎に出力する。つまり、インターリーブ部１００４の第一段階は、周波数方向に伝搬路推定用シンボルの挿入周期のサブキャリア数だけ離れたサブキャリアが隣接するように並び替えて、サブキャリア番号１、７、１３、１９、２５、３１、２、８、・・・２４、３０、３６の順に出力する。（図３−（ａ））。
【００３２】
更に、インターリーブ部１００４は、第二段階として、第一段階の出力に対して、伝搬路推定用シンボルの挿入周期数の隣接するサブキャリアをグループ（ここでは、６サブキャリアで１グループ）として、それぞれのグループについて、０、１、２、３、４、５サブキャリア分のうちのいずれかだけサブキャリアの位置を周波数の小さい方へずらし、このずらすことでグループの外側に出たサブキャリアは、周波数の大きい側から入れて、同様にずらす（すなわち、グループ内で循環的にシフトする）。
【００３３】
ここで、各グループにおいて、ずらす量は、各グループにて固有の数である。つまり、インターリーブ部１００４の第二段階では、サブキャリア番号１、７、１３、１９、２５、３１に対する出力は、ずらす量が０で、サブキャリア番号１、７、１３、１９、２５、３１の順となり、サブキャリア番号２、８、１４、２０、２６、３２に対する出力は、ずらす量が１で、サブキャリア番号８、１４、２０、２６、３２、２の順となり、サブキャリア番号３、９、１５、２１、２７、３３に対する出力は、ずらす量が２で、サブキャリア番号１５、２１、２７、３３、３、９の順となり、・・・、サブキャリア番号６、１２、１８、２４、３０、３６に対する出力は、ずらす量が５で、サブキャリア番号３６、６、１２、１８、２４、３０の順となる（図３−（ｂ））。
【００３４】
ここで、各グループをずらす量を、周波数の小さいグループから順に０、１、２、・・・５というように昇順にしたが、この他にも、降順に５、４、３、・・・０というようにしてもよいし、ランダムに、３、０、１、・・・４というようにしてもよいが、ずらす量は特定の値に偏らないように、また、隣接するグループでは異なる値としたほうが望ましい。また、ずらす向きを周波数の小さい方として説明したが、周波数の大きい方であっても良い。
【００３５】
このように、本実施形態では、インターリーブ部１００４は、第一段階で、周波数方向に所定の数（伝搬路推定用シンボルの周期数）だけ離れたサブキャリアを隣接するように並び替え、さらに第二段階で、この並び替え後に隣接する前述の所定の数と同数のサブキャリアのグループ内でグループ毎に固有の数だけ循環的にシフトさせる。
【００３６】
本実施形態におけるインターリーブ部１００４によるインターリーブである上記内容を式で表すとｋ番目のサブキャリア（ただし、１≦ｋ≦Ｎ（Ｎは全サブキャリア本数））のインターリーブ後の出力位置Ｏｕｔ（ｋ）は、全サブキャリア数Ｎが、Ｎ＝ｎ×ｍ（ｎ≦ｍ）のときは、以下の（１）式で表される。
Ｏｕｔ（ｋ）= ｆｌｏｏｒ（（Ｚ−１）÷ｍ）×ｍ＋（（Ｚ−１）ｍｏｄ（ｍ）−ｆｌｏｏｒ（（Ｚ−１）÷ｍ））ｍｏｄ（ｍ）＋１・・・（１）
なお、Ｚは、
Ｚ ＝（（（ｋ−１）ｍｏｄ （ｍ））×  Ｎ÷ｍ＋ｆｌｏｏｒ（（ｋ−１）÷ｍ）＋１）・・・（１’）
ただし、mは伝搬路推定用シンボルを挿入する周期のサブキャリア数である。
また、ｘ  ｍｏｄ  ｙ  はｘをｙで割った場合の余りを意味する。また、ｆｌｏｏｒ（ｘ）は、ｘを越えない最大の整数を意味する。
【００３７】
全サブキャリア数Ｎが、Ｎ＝ｐ×ｍ（ｍ＜ｐ）のときは、ｍ２のサブキャリア単位で上記（１）式にて説明したインターリーブを行う。これを、式で表すとｋ番目のサブキャリア（ただし、１≦ｋ≦Ｎ（Ｎは全サブキャリア本数））のインターリーブ後の出力位置Ｏｕｔ（ｋ）は、以下の（２）式で表される。
Ｏｕｔ（ｋ）= ｆｏｏｒ（（ｋ−１）÷ｍ２）×ｍ２ ＋ ｆｌｏｏｒ（（Ｚ−１）÷ｍ）×ｍ＋（（Ｚ−１）ｍｏｄ（ｍ）−ｆｌｏｏｒ（（Ｚ−１）÷ｍ））ｍｏｄ（ｍ）＋１・・・（２）
ただし、
ｋ＜＝  ｆｌｏｏｒ（（Ｎ−１）÷ｍ２）×ｍ２の場合は、
Ｚ ＝（（（ｋ−１）ｍｏｄ （ｍ））×  ｍ＋ｆｌｏｏｒ（（ｋ−１）÷ｍ）＋１）・・・（２’）
ｋ＞ｆｌｏｏｒ（（Ｎ−１）÷ｍ２）×ｍ２の場合は、
Ｚ ＝（（（ｋ−１）ｍｏｄ （ｍ））×（Ｎ−ｆｏｏｒ（（ｋ−１）÷ｍ２）×ｍ２）÷  ｍ＋ｆｌｏｏｒ（（ｋ−ｆｏｏｒ（（ｋ−１）÷ｍ２）×ｍ２−１）÷ｍ）＋１）・・・（２’’）
【００３８】
より具体的な例では、インターリーブ部１００４は、入力サブキャリアに対する出力後の並び変えた位置を記憶しておき、サブキャリアの並び替えを行う。例えば、サブキャリア番号順に、１、２、３、・・・３４、３５、３６の順に入力されると、１、７、１３、１９、２５、３１、８、１４、２０、２６、３２、２、・・・３６、６、１２、１８、２４、３０となるような位置を記憶しておく。これにより適切にインターリーブが行える。
【００３９】
図４は、本実施形態における無線受信装置の構成を示す概略ブロック図である。無線受信装置は、受信アンテナ１０１１、ＲＦ部１０１２、Ａ／Ｄ変換部１０１３、ＧＩ除去部１０１４、Ｓ／Ｐ変換部１０１５、ＦＦＴ部（Ｆａｓｔ  Ｆｏｕｒｉｅｒ  Ｔｒａｎｓｆｏｒｍ部（高速フーリエ変換））１０１６、伝搬路補償部１０１７、伝搬路推定部１０１８、デインターリーブ部１０１９、Ｐ／Ｓ変換部１０２０、復号化部１０２１から構成される。
【００４０】
本実施形態の無線受信装置は、無線送信装置からの信号を受信アンテナ１０１１で受信する。ＲＦ部１０１２は、受信した信号を、無線周波数帯域からベースバンド周波数帯域に周波数変換する。Ａ／Ｄ変換部１０１３は、周波数変換したアナログ信号をディジタル信号に変換する。ＧＩ除去部は、Ａ／Ｄ変換部１０１３が変換したアナログ信号からガードインターバルを除去する。Ｓ／Ｐ変換部１０１５は、ＦＦＴ部１０１６入力にデータをマッピングするためにシリアル／パラレル変換を行う。ＦＦＴ部１０１６は、Ｓ／Ｐ変換部１０１５の出力を高速フーリエ変換し、ＯＦＤＭ信号の各サブキャリアを抽出する。伝搬路補償部１０１７は、伝搬路推定部１０１８からの伝搬路推定結果を基にＦＦＴ部１０１６が出力した各サブキャリアに対し、伝搬路補償を行う。
【００４１】
伝搬路推定部１０１８は、ＦＦＴ部１０１６の出力したサブキャリアに含まれる伝搬路推定用シンボルから各サブキャリアの伝搬路推定を行う。デインターリーブ部（デインターリーブ手段）１０１９は、伝搬路補償部１０１７が伝搬路補償を行ったサブキャリアに対して、無線送信装置のインターリーブ部１００４で行ったインターリーブの逆処理（元に戻すような並び替え）を行う。すなわち、デインターリーブ部１０１９は、インターリーブ部１００４の第二段階の逆処理として伝搬路推定用シンボルの挿入周期数（所定の数）の隣接するサブキャリアのグループ内でグループ毎に固有の数だけ循環的にシフトさせ、さらに第一段階の逆処理として、このシフト後に隣接するサブキャリアを周波数方向に前述の挿入周期数だけ離れるように並び替える。Ｐ／Ｓ変換部１０２０は、デインターリーブ部１０１９からの信号をパラレル／シリアル変換する。復号化部１０２１では、Ｐ／Ｓ変換部１０２０の出力に含まれる誤り訂正符号化されたデータを復号して、ユーザーデータを抽出する。
【００４２】
具体的な例では、デインターリーブ部１０１９は、入力サブキャリアに対する出力後の並び変えた位置を記憶しておき、サブキャリアの並び替えを行う。例えば、サブキャリア番号１、２、３、・・・３４、３５、３６の順に入力されると、１、７、１３、１９、２５、３１、３２、２、８、１４、２０、２６・・・１２、１８、２４、３０、３６、６となるような位置を記憶しておく。これにより適切にデインターリーブが行える。
【００４３】
このように、無線受信装置のデインターリーブ部１０２０がデインターリーブを行うと、受信側で、デインターリーブ後のデータシンボルの伝搬路推定用シンボルからの距離は、図３−（ｃ）に例示するように伝搬路推定用シンボルからの距離がサブキャリア１から順に、１，２，３，４，３，２・・・４，３，２，１というようになり、データシンボルの伝搬路推定用シンボルからの距離に偏りを生じずに、伝搬路推定用シンボルと各データシンボルの位置関係が散乱した状態になるため、誤り訂正特性が向上し、受信側における復調精度が向上する。
尚、サブキャリア数が多い場合、全サブキャリア本数Ｎを、（Ｎ÷ｍ２）本のサブキャリア毎のグループに分け、グループ毎に上記インターリーブを行ってもよい。
【００４４】
［第２の実施形態］
次に第２の実施形態では、第１の実施形態におけるインターリーブ部１００４の第一段階のインターリーブに替えて、伝搬路推定用シンボルの挿入周期ｍのｎ倍（ｎは正の整数）の間隔（以下、「インターリーブ間隔」という。）でインターリーブする場合の例を示す。ここでは、伝搬路推定用シンボルが５サブキャリア周期で挿入され、全サブキャリアが５００サブキャリアある場合の例を示す。また、ここでは、ｎ＝２０として、インターリーブのサブキャリア間隔は、伝搬路推定用シンボル挿入周期５×２０＝１００サブキャリア間隔としている。無線送信装置及び無線受信装置の構成は、それそれ、図２、図４と同じである。なお、本実施形態におけるデインターリーブ部１０１９は、本実施形態におけるインターリーブ部１００４によるサブキャリアの並び替えを元に戻すように、サブキャリアを並び替える。
【００４５】
図５は、本実施形態におけるインターリーブ部１００４によるインターリーブを説明する図である。インターリーブ部１００４は、サブキャリア番号１、２、３、４、・・・４９８、４９９、５００の順に入力されると、第一段階として、伝搬路推定用シンボルの挿入周期数のｎ＝２０倍だけ離れたサブキャリアが隣接するように並び替えて、サブキャリア番号１、１０１、２０１、３０１、４０１、２、１０２、２０２、・・・２００、３００、４００、５００の順に出力する（図５−（ａ））。
【００４６】
次に、インターリーブ部１００４は第二段階として第１の実施形態と同様に、伝搬路推定用シンボルの挿入周期数のサブキャリアをサブキャリアグループ（ここでは、５サブキャリアでサブキャリア１グループとする。）として、サブキャリアグループ毎にそれぞれ、固有の量として０、１、２、３、４、サブキャリア分の位置を周波数の小さい方へずらしこれを繰り返す。つまり、サブキャリア番号１、１０１、２０１、３０１、４０１に対する出力は、ずらす量が０で、サブキャリア番号１、１０１、２０１、３０１、４０１の順となり、サブキャリア番号２、１０２、２０２、３０２、４０２に対する出力は、ずらす量が１で、サブキャリア番号１０２、２０２、３０２、４０２、２の順となり、サブキャリア番号３、１０３、２０３、３０３、４０３に対する出力は、ずらす量が２で、サブキャリア番号２０３、３０３、４０３、３、１０３の順となり、・・・、サブキャリア番号１００、２００、３００、４００、５００に対する出力は、ずらす量が５で、サブキャリア番号５００、１００、２００、３００、４００の順となる（図５−（ｂ））。
【００４７】
ここで、各サブキャリアグループをずらす量を、周波数の小さいグループから順に０、１、２、・・・５というように昇順にしたが、この他にも、降順に５、４、３、・・・０というようにしてもよいし、ランダムに、３、０、１、・・・４というようにしてもよいが、ずらす量は特定の値に偏らないように、また、隣接するグループでは異なる値としたほうが望ましい。また、ずらす向きを周波数の小さい方として説明したが、周波数の大きい方であっても良い。
【００４８】
本実施形態におけるインターリーブ部１００４によるインターリーブである上記内容を式で表すとｋ番目のサブキャリアのインターリーブ後の出力位置Ｏｕｔ（ｋ）は、以下の（３）式にて表される。
Ｏｕｔ（ｋ）= ｆｏｏｒ（（ｋ−１）÷ｑ２）×ｑ２ ＋ ｆｌｏｏｒ（（Ｚ−１）÷ｍ）×ｍ＋（（Ｚ−１）ｍｏｄ（ｍ）−ｆｌｏｏｒ（（Ｚ−１）÷ｍ））ｍｏｄ（ｍ）＋１・・・（３）
ただし、Ｚは、
Ｚ ＝（（（ｋ−１）ｍｏｄ （ｑ））×  Ｎ÷ｑ＋ｆｌｏｏｒ（（ｋ−１）÷（ｑ））＋１・・・（３’）
ただし、mは伝搬路推定用シンボルを挿入する周期のサブキャリア数、インターリーブ間隔ｑ＝ｍ×ｎ、全サブキャリア数Ｎは、Ｎ＝ｑ×ｓ（ｓは正の整数）である。
また、ｘ  ｍｏｄ  ｙ  はｘをｙで割った場合の余りを意味する。また、ｆｌｏｏｒ（ｘ）は、ｘを越えない最大の整数を意味する。
【００４９】
より具体的な例では、インターリーブ部１００４は、入力サブキャリアに対する出力後の並び変えた位置を記憶しておき、サブキャリアの並び替えを行う。例えば、サブキャリア番号１、２、３、４、５、・・・４９８、４９９、５００の順に入力されると、１、１０１、２０１、３０１、４０１、１０２、２０２、３０２、４０２、２、・・・５００、１００、２００、３００、４００となるような位置を記憶しておく。これにより適切にインターリーブが行える。
【００５０】
なお、デインターリーブ部１０１９は、インターリーブ部１００４の逆処理を行うので、インターリーブ部１００４の第二段階の逆処理として伝搬路推定用シンボルの挿入周期ｍのｎ倍（本実施形態ではｍ＝５、ｎ＝２０）の隣接するサブキャリアのグループ内でグループ毎に固有の数だけ循環的にシフトさせ、さらに第一段階の逆処理として、このシフト後に隣接するサブキャリアを周波数方向に前述の挿入周期数ｍだけ離れるように並び替える。
【００５１】
このように、本実施形態では、第１の実施形態に比べて、インターリーブ部１００４の第一段階にて、広い間隔のサブキャリアが隣接するように並び替えるので、各サブキャリアでの伝搬路応答が異なり、周波数ダイバーシチ効果で誤り訂正能力が向上し、さらに、第１の実施形態と同様の効果が得られる。
【００５２】
［第３の実施形態］
本実施形態では、いくつかの隣接するサブキャリアをグループ化し、グループ毎に固有量の位相回転を加えて送信する循環遅延送信ダイバーシチＣＤＴＤ（Ｃｙｃｌｉｃ  Ｄｅｌａｙ  Ｔｒａｎｓｍｉｔ  Ｄｉｖｅｒｓｉｔｙ）のような効果を得る送信ダイバーシチを用いる場合について示す。なお、ここではこの方法を階段状位相回転送信ダイバーシチＳＰＲ−ＴＤ（Ｓｔｅｐ Ｐｈａｓｅ Ｒｏｔａｔｉｏｎ − Ｔｒａｎｓｍｉｔｔｅ Ｄｉｖｅｒｓｉｔｙ）と称する。
【００５３】
この階段状位相回転送信ダイバーシチＳＰＲ−ＴＤは、伝搬路推定用信号が全てのサブキャリアに配置されない場合に効果がある方法である。階段状位相回転送信ダイバーシチＳＰＲ−ＴＤでは無線受信装置での伝搬路推定方法を考慮し、伝搬路推定用シンボルが送信される少なくとも１つのサブキャリアと、伝搬路推定用シンボルが配置されないサブキャリアをグループ化し、各グループ固有の位相回転量を与えることにより、循環遅延送信ダイバーシチＣＤＴＤと同様の周波数ダイバーシチ効果を得ることが可能である。
【００５４】
図６は、送信フレームの構成とこの構成に対応した階段状位相回転送信ダイバーシチＳＰＲ−ＴＤの伝搬路応答の例である。図６に示す例では、送信フレームは、時間方向には７つのシンボルで構成され、その先頭には周波数方向に６サブキャリア周期に伝搬路推定用シンボルが挿入されている。階段状位相回転送信ダイバーシチＳＰＲ−ＴＤでは、伝搬路推定用シンボルの挿入周期にあわせたサブキャリアのグループ内では同じ位相回転量を与えられているため伝搬路応答の変動が少ない。このため、グループ毎にグループ内の伝搬路推定用シンボルのみを用いて伝搬路推定を行う。
【００５５】
図６の横軸に周波数、縦軸に伝搬路応答をとったグラフに示す実線の伝搬路応答Ｒ１〜Ｒｎの例のように、グループ内の伝搬路応答Ｒ１は連続した線で表されるが、隣のグループの伝搬路応答Ｒ２は、伝搬路応答Ｒ１とは不連続な線となる。従って、伝搬路応答Ｒ１を推定するときには、そのグループ内の伝搬路推定用シンボルによる伝搬路推定結果のみを用いることで、伝搬路推定結果Ｅ１が求められる。同様にして、伝搬路応答Ｒ２を推定するときには、該グループ内の伝搬路推定用シンボルによる伝搬路推定結果のみを用いて、伝搬路推定結果Ｅ２が求められる。以下、伝搬路応答Ｒ３、・・・Ｒｎについても同様である。
【００５６】
図７は、本実施形態の無線送信装置の構成を示す概略ブロック図である。図７において、図２の各部に対応する部分には同一の符号を付け、その説明を省略する。図７に示す無線送信装置の図２との相違点は、インターリーブ部１００４に替えてインターリーブ部１０３４を具備する点と、回転量設定部１０２２と位相回転部１０２３−１から１０２３−６と、これら位相回転部１０２３−１から１０２３−６の出力を送信するためのＩＦＦＴ部１００５ａとＰ／Ｓ変換部１００６ａとＧＩ付加部１００７ａとＤ／Ａ変換部１００８ａとＲＦ部１００９ａと送信アンテナ１０１０ａを具備する点である。
【００５７】
ＩＦＦＴ部１００５ａはＩＦＦＴ部１００５と同じ機能を備えるブロックである。同様に、Ｐ／Ｓ変換部１００６ａはＰ／Ｓ変換部１００６と、ＧＩ付加部１００７ａはＧＩ付加部１００７と、Ｄ／Ａ変換部１００８ａはＤ／Ａ変換部１００８と、ＲＦ部１００９ａはＲＦ部１００９と、送信アンテナ１０１０ａは送信アンテナ１０１０と同じ機能を備えるブロックである。また、本実施形態における無線受信装置の構成は、第１の実施形態または第２の実施形態の無線受信装置の構成と同じであるが、伝搬路推定部の伝搬路推定方法が上述の階段状位相回転送信ダイバーシチＳＰＲ−ＴＤの説明にて示した方法を用いる点と、デインターリーブ部１０１９がインターリーブ部１０３４によるインターリーブを基に戻すようにサブキャリアを並び替える点が異なる。
【００５８】
インターリーブ部（インターリーブ手段）１０３４は、Ｓ／Ｐ変換部１００３の変換結果を、サブキャリア単位でインターリーブを行う。インターリーブ部１０３４が行うインターリーブの詳細は、図９の説明にて後述する。回転量設定部１０２２は、各サブキャリアグループの位相回転量を決定する。位相回転部１０２３−１〜１０２３−６は回転量設定部１０２２で決定した位相回転量で伝搬路推定用シンボル及びデータシンボルの位相回転を行う。
図８は位相回転部１０２３−１〜１０２３−６の内部構成を示す概略ブロック図である。位相回転部１０２３−１〜１０２３−６は、それぞれ回転量設定部１０２２にて決定された位相回転量Ｗ１〜Ｗ６を受けて、それぞれ６つのサブキャリアに対して、位相回転を与える。すなわち、位相回転部１０２３−１は、サブキャリア１〜サブキャリア６に対して、位相回転量Ｗ１を与え、位相回転部１０２３−２は、サブキャリア７〜サブキャリア１２に対して、位相回転量Ｗ２を与える。本実施形態では、同じ位相回転が与えられるサブキャリアのグループは、６つのサブキャリアからなり、総サブキャリア数は３６である。
【００５９】
図９は、本実施形態におけるインターリーブ部１０３４のインターリーブ方法を説明する図である。尚、本実施形態では、階段状位相回転送信ダイバーシチＳＰＲ−ＴＤにより同じ位相回転が与えられるサブキャリアの各グループにて伝搬路推定が可能なように、伝搬路推定用シンボル生成部１００２が生成した伝搬路推定用シンボルは６サブキャリア毎に配置する。本実施形態におけるインターリーブ部１０３４は、第一段階と第二段階との２段階に分けてインターリーブを行う。サブキャリア番号１、２、３、・・・３４、３５、３６の順に入力されると、インターリーブ部１０３４は、第一段階として同じ位相回転量を与えるサブキャリア数おきに出力する。つまり、インターリーブ部１０３４の第一段階は、同じ位相回転量を与えるサブキャリア数（ここでは６）だけ離れたサブキャリアが隣接するように並び替えて、サブキャリア番号１、７、１３、１９、２５、３１、２、８、・・・２４、３０、３６の順に出力する（図９−（ａ））。
【００６０】
更に、インターリーブ部１０３４は第二段階として、第一段階の出力に対して、同じ位相回転量を与えるサブキャリア数のサブキャリアをグループ（ここでは、６サブキャリア単位で１グループとする）として、それぞれのグループについて、０、１、２、３、４、５サブキャリア分のうちのいずれかだけサブキャリアの位置を周波数の大きい方へずらし、このずらすことでグループの外側に出たサブキャリアは、周波数の小さい側から入れて、同様にずらす（すなわち、グループ内で循環的にシフトする）。尚、ここではサブキャリアのずらし方向を第１の実施形態と逆方向でずらす例である。
【００６１】
つまり、インターリーブ部１０３４の第二段階では、サブキャリア番号１、７、１３、１９、２５、３１に対する出力は、ずらす量が０で、サブキャリア番号１、７、１３、１９、２５、３１の順となり、サブキャリア番号２、８、１４、２０、２６、３２に対する出力は、ずらす量が１で、サブキャリア番号３２、２、８、１４、２０、２６の順となり、サブキャリア番号３、９、１５、２１、２７、３３に対する出力は、ずらす量が２で、サブキャリア番号２７、３３、３、９、１５、２１の順となり、・・・、サブキャリア番号６、１２、１８、２４、３０、３６に対する出力は、ずらす量が５で、サブキャリア番号１２、１８、２４、３０、３６、６の順となる（図９−（ｂ））。
図９−（ｃ）は、受信側のデインターリーブ部１０１９前の伝搬路応答を示した図である。位相回転部１０２３−１から１０２３−６で位相回転を与えた結果、無線伝搬路を通ったあとでは、階段状の伝搬路応答を示す。デインターリーブ部１０１９での処理後（図９−（ｄ））では、循環遅延送信ダイバーシチＣＤＴＤに似た伝搬路応答になり、循環遅延送信ダイバーシチＣＤＴＤと同様に周波数ダイバーシチ効果が得られる。
【００６２】
ここで、各グループをずらす量を、周波数の小さいグループから順に０、１、２、・・・５というように昇順にしたが、この他にも、降順に５、４、３、・・・０というようにしてもよいし、ランダムに、３、０、１、・・・４というようにしてもよいが、ずらす量は特定の値に偏らないように、また、隣接するグループでは異なる値としたほうが望ましい。また、ずらす向きを周波数の大きい方として説明したが、周波数の小さい方であっても良い。
【００６３】
インターリーブ部１０３４によるインターリーブである上記内容を式で表すとｋ番目のサブキャリア（ただし、１≦ｋ≦Ｎ（Ｎは全サブキャリア本数））のインターリーブ後の出力位置Ｏｕｔ（ｋ）は、全サブキャリア数Ｎが、Ｎ＝ｎ×ｍ（ｎ≦ｍ）のときは、以下の（４）式にて表される。
Ｏｕｔ（ｋ）= ｆｌｏｏｒ（（Ｚ−１）÷ｍ）×ｍ＋（（Ｚ−１）ｍｏｄ（ｍ）＋ｆｌｏｏｒ（（Ｚ−１）÷ｍ））ｍｏｄ（ｍ）＋１・・・（４）
なお、Ｚは、
Ｚ ＝（（（ｋ−１）ｍｏｄ （ｍ））×  Ｎ÷ｍ＋ｆｌｏｏｒ（（ｋ−１）÷ｍ）＋１）・・・（４’）
ただし、mは、一定の位相回転量を与えるサブキャリアのグループのサブキャリア数である。
また、ｘ  ｍｏｄ  ｙ  はｘをｙで割った場合の余りを意味する。また、ｆｌｏｏｒ（ｘ）は、ｘを越えない最大の整数を意味する。
【００６４】
全サブキャリア数Ｎが、Ｎ＝ｐ×ｍ（ｍ＜ｐ）のときは、ｍ２のサブキャリア単位で上記（４）式にて説明したインターリーブを行う。これを、式で表すとｋ番目のサブキャリア（ただし、１≦ｋ≦Ｎ（Ｎは全サブキャリア本数））のインターリーブ後の出力位置Ｏｕｔ（ｋ）は、以下の（５）式で表される。
Ｏｕｔ（ｋ）= ｆｏｏｒ（（ｋ−１）÷ｍ２）×ｍ２ ＋ ｆｌｏｏｒ（（Ｚ−１）÷ｍ）×ｍ＋（（Ｚ−１）ｍｏｄ（ｍ）＋ｆｌｏｏｒ（（Ｚ−１）÷ｍ））ｍｏｄ（ｍ）＋１・・・（５）
ただし、
ｋ＜＝  ｆｌｏｏｒ（（Ｎ−１）÷ｍ２）×ｍ２の場合は、
Ｚ ＝（（（ｋ−１）ｍｏｄ （ｍ））×  ｍ＋ｆｌｏｏｒ（（ｋ−１）÷ｍ）＋１）・・・（５’）
ｋ＞ｆｌｏｏｒ（（Ｎ−１）÷ｍ２）×ｍ２  の場合は、
Ｚ ＝（（（ｋ−１）ｍｏｄ （ｍ））×（Ｎ−ｆｏｏｒ（（ｋ−１）÷ｍ２）×ｍ２）÷  ｍ＋ｆｌｏｏｒ（（ｋ−ｆｏｏｒ（（ｋ−１）÷ｍ２）×ｍ２−１）÷ｍ）＋１）・・・（５’’）
【００６５】
より具体的な例では、インターリーブ部１０３４は、入力サブキャリアに対する出力後の並び変えた位置を記憶しておき、サブキャリアの並び替えを行う。例えば、サブキャリア番号１、２、３、・・・３４、３５、３６の順に入力されると、１、７、１３、１９、２５、３１、３２、２、８、１４、２０、２６・・・１２、１８、２４、３０、３６、６となるような位置を記憶しておく。これにより適切にインターリーブが行える。
【００６６】
なお、デインターリーブ部１０１９は、インターリーブ部１０３４の逆処理を行うので、インターリーブ部１０３４の第二段階の逆処理として同じ位相回転量を与えられたサブキャリア数（本実施形態では６）の隣接するサブキャリアのグループ内でグループ毎に固有の数だけ循環的にシフトさせ、さらに第一段階の逆処理として、このシフト後に隣接するサブキャリアを周波数方向に前述の同じ位相回転量を与えられたサブキャリア数だけ離れるように並び替える。
【００６７】
このように、インターリーブ部１０３４が階段状位相回転送信ダイバーシチＳＰＲ−ＴＤの位相回転の設定間隔に応じたインターリーブを行うと、受信側で、基に戻すようにデインターリーブした後のデータシンボルの伝搬路推定用シンボルからの距離は、例えば、図９−（ｄ）のようになり、データシンボルの伝搬路推定用シンボルからの距離に偏りを生じずに、伝搬路推定用シンボルと各データシンボルの位置関係が散乱した状態になるため、誤り訂正特性が向上し、受信側における復調精度が向上する。
【００６８】
［第４の実施形態］
本実施形態では、いくつかのサブキャリアをグループ化し、グループ毎に送信するアンテナを切り替える送信ダイバーシチ方法の周波数切換送信ダイバーシチＦＳＴＤ（Ｆｒｅｑｕｅｎｃｙ−Ｓｗｉｔｃｈｅｄ  Ｔｒａｎｓｍｉｔｔｅ Ｄｉｖｅｒｓｉｔｙ）を用いる場合について示す。この周波数切換送信ダイバーシチＦＳＴＤも循環遅延送信ダイバーシチＣＤＴＤと同様の効果が得られ、グループ毎に送信アンテナを切り替えると、図１２のようにグループ内での伝搬路応答の変動は少ないが、グループ毎に伝搬路応答が異なるため、伝搬路推定は、グループ毎にグループ内の伝搬路推定用シンボルのみを用いて伝搬路推定を行う。周波数切換送信ダイバーシチＦＳＴＤでは無線受信装置での伝搬路推定方法を考慮し、伝搬路推定用シンボルが送信される少なくとも１つのサブキャリアと、伝搬路推定用シンボルが配置されないサブキャリアをグループ化したサブキャリアグループごとに送信アンテナを切り換えることにより、循環遅延送信ダイバーシチＣＤＴＤと同様の周波数ダイバーシチ効果を得ることが可能である。
【００６９】
図１０は、本実施形態の無線送信装置の構成を示す概略ブロック図である。図７の無線送信装置との相違点は、インターリーブ部１０３４に替えてインターリーブ部１０４４を具備する点と、回転量設定部１０２２および位相回転部１０２３−１〜１０２３−６を具備せずに、アンテナ選択部１０２６およびアンテナ切替部１０２５−１から１０２５−６を具備する点である。図１０において、図７の各部に対応する部分には同一の符号を付け、その説明を省略する。また、本実施形態における無線受信装置の構成は、第３の実施形態の無線受信装置の構成と同じであるが、デインターリーブ部１０１９がインターリーブ部１０４４によるインターリーブを元に戻すようにサブキャリアを並び替える点が異なる。
【００７０】
インターリーブ部（インターリーブ手段）１０４４は、Ｓ／Ｐ変換部１００３の変換結果を、サブキャリア単位でインターリーブを行う。インターリーブ部１０４４が行うインターリーブの詳細は、図１１の説明にて後述する。アンテナ選択部１０２６は、隣接する６つのサブキャリアからなる各サブキャリアグループの使用アンテナを選択する。アンテナ切替部１０２５は、サブキャリアグループに設けられ、アンテナ選択部１０２６で決定した送信アンテナの送信経路に出力を切り替える、すなわち、送信アンテナ１０１０ａが選択されたときは、入力されたサブキャリアグループをＩＦＦＴ部１００５ａに出力し、送信アンテナ１０１０が選択されたときは、入力されたサブキャリアグループをＩＦＦＴ部１００５に出力する。
【００７１】
本実施形態におけるインターリーブ部１０４４によるインターリーブ方法を以下に示す。図１１は、インターリーブ部１０４４によるインターリーブを説明する図である。本実施形態では、６サブキャリア毎にグループ化し、グループ毎に送信アンテナを切り替える場合を示す。尚、伝搬路推定用シンボルは、先に説明したように上記グループについて１つ以上必要なため、本実施形態では６サブキャリア毎に配置する。
【００７２】
本実施形態におけるインターリーブ部１０４４は、第一段階と第二段階との２段階に分けてインターリーブを行う。サブキャリア番号１、２、３、・・・３４、３５、３６の順に入力されると、インターリーブ部１０４４は、第一段階として送信アンテナを切り替えるサブキャリア数おきに出力する。つまり、インターリーブ部１０４４の第一段階は、同じ送信アンテナから送信され隣接するサブキャリアからなるサブキャリアグループを構成するサブキャリア数（ここでは６つ）だけ離れたサブキャリアが隣接するように並び替えて、１、７、１３、１９、２５、３１、２、８、・・・２４、３０、３６の順に出力する（図１１−（ａ））。
【００７３】
更に、インターリーブ部１０４４は第二段階として、第一段階の出力に対して、送信アンテナを切り替えるサブキャリア数のサブキャリアをグループ（ここでは、６サブキャリア単位で１グループとする。）として、それぞれのグループについて、５、４、３、２、１、０サブキャリア分のうちのいずれかだけサブキャリアの位置を周波数の大きい方へずらし、このずらすことでグループの外側に出たサブキャリアは、周波数の小さい側から入れて、同様にずらす（すなわち、グループ内で循環的にシフトする）。つまり、インターリーブ部１０４４の第二段階では、サブキャリア番号１、７、１３、１９、２５、３１に対する出力は、ずらす量が５で、サブキャリア番号７、１３、１９、２５、３１、１の順となり、サブキャリア番号２、８、１４、２０、２６、３２に対する出力は、ずらす量が４で、サブキャリア番号１４、２０、２６、３２、２、８の順となり、サブキャリア番号３、９、１５、２１、２７、３３に対する出力は、ずらす量が３で、サブキャリア番号２１、２７、３３、３、９、１５の順となり、・・・、サブキャリア番号６、１２、１８、２４、３０、３６に対する出力は、ずらす量が０で、サブキャリア番号６、１２、１８、２４、３０、３６の順となる（図１１−（ｂ））。
【００７４】
ここで、各サブキャリアグループをずらす量を、周波数の小さいサブキャリアグループから順に５、４、３、・・・０というように降順にしたが、この他にも、昇順に０、１、２、・・・５というようにしてもよいし、ランダムに、３、０、１、・・・４というようにしてもよいが、ずらす量は特定の値に偏らないように、また、隣接するサブキャリアグループでは異なる値としたほうが望ましい。また、ずらす向きを周波数の小さい方として説明したが、周波数の大きい方であっても良い。
図１１−（ｃ）は、受信側のデインターリーブ部１０１９前の伝搬路応答を示した図である。アンテナ切替部１０２５−１から１０２５−６でアンテナ切替を行った結果、無線伝搬路を通ったあとでは、階段状の伝搬路応答を示す。デインターリーブ部１０１９での処理後（図１１−（ｄ））では、循環遅延送信ダイバーシチＣＤＴＤに似た伝搬路応答になり、循環遅延送信ダイバーシチＣＤＴＤと同様に周波数ダイバーシチ効果が得られる。
【００７５】
インターリーブ部１０４４によるインターリーブである上記内容を式で表すとｋ番目のサブキャリア（ただし、１≦ｋ≦Ｎ（Ｎは全サブキャリア本数））のインターリーブ後の出力位置Ｏｕｔ（ｋ）は、全サブキャリア数Ｎが、Ｎ＝ｎ×ｍ（ｎ≦ｍ）のときは、以下の（６）式にて表される。
Ｏｕｔ（ｋ）= ｆｌｏｏｒ（（Ｚ−１）÷ｍ）×ｍ＋（（Ｚ−１）ｍｏｄ（ｍ）＋ｆｌｏｏｒ（（Ｚ−１）÷ｍ）＋５）ｍｏｄ（ｍ）＋１・・・（６）
なお、Ｚは、
Ｚ ＝（（（ｋ−１）ｍｏｄ （ｍ））×  Ｎ÷ｍ＋ｆｌｏｏｒ（（ｋ−１）÷ｍ）＋１）・・・（６’）
ただし、mは、送信アンテナを切り替えるサブキャリアグループのサブキャリア数である。また、ｘ  ｍｏｄ  ｙ  はｘをｙで割った場合の余りを意味する。また、ｆｌｏｏｒ（ｘ）は、ｘを越えない最大の整数を意味する。
【００７６】
全サブキャリア数Ｎが、Ｎ＝ｐ×ｍ（ｍ＜ｐ）のときは、ｍ２のサブキャリア単位で上記に説明したインターリーブを行う。これを、式で表すとｋ番目のサブキャリア（ただし、１≦ｋ≦Ｎ（Ｎは全サブキャリア本数））のインターリーブ後の出力位置Ｏｕｔ（ｋ）は、以下の（７）式で表される。
Ｏｕｔ（ｋ）= ｆｏｏｒ（（ｋ−１）÷ｍ２）×ｍ２ ＋ ｆｌｏｏｒ（（Ｚ−１）÷ｍ）×ｍ＋（（Ｚ−１）ｍｏｄ（ｍ）−ｆｌｏｏｒ（（Ｚ−１）÷ｍ）＋５）ｍｏｄ（ｍ）＋１・・・（７）
ただし、
ｋ＜＝  ｆｌｏｏｒ（（Ｎ−１）÷ｍ２）×ｍ２の場合
Ｚ ＝（（（ｋ−１）ｍｏｄ （ｍ））×  ｍ＋ｆｌｏｏｒ（（ｋ−１）÷ｍ）＋１）・・・（７‘）
ｋ＞ｆｌｏｏｒ（（Ｎ−１）÷ｍ２）×ｍ２の場合
Ｚ ＝（（（ｋ−１）ｍｏｄ （ｍ））×（Ｎ−ｆｏｏｒ（（ｋ−１）÷ｍ２）×ｍ２）÷  ｍ＋ｆｌｏｏｒ（（ｋ−ｆｏｏｒ（（ｋ−１）÷ｍ２）×ｍ２−１）÷ｍ）＋１）・・・（７’’）
【００７７】
より具体的な例では、インターリーブ部１０４４は、入力サブキャリアに対する出力後の並び変えた位置を記憶しておき、サブキャリアの並び替えを行う。例えば、サブキャリア番号１、２、３、・・・３４、３５、３６の順に入力されると、７、１３、１９、２５、３１、１、１４、２０、２６、３２、２、８・・・６、１２、１８、２４、３０、３６となるような位置を記憶しておく。これにより適切にインターリーブが行える。
【００７８】
なお、デインターリーブ部１０１９は、インターリーブ部１０４４の逆処理を行うので、インターリーブ部１０４４の第二段階の逆処理として送信アンテナを切り替えたサブキャリア数（本実施形態では６）の隣接するサブキャリアのグループ内でグループ毎に固有の数だけ循環的にシフトさせ、さらに第一段階の逆処理として、このシフト後に隣接するサブキャリアを周波数方向に前述の送信アンテナを切り替えたサブキャリア数だけ離れるように並び替える。
【００７９】
このように、インターリーブ部１０４４が周波数切換送信ダイバーシチＦＳＴＤの送信アンテナの切換間隔に応じたインターリーブを行うと、受信側で、基に戻すようにデインターリーブした後のデータシンボルの伝搬路推定用シンボルからの距離は、例えば、図１１−（ｄ）のようになり、伝搬路推定用シンボルと各データシンボルの位置関係が散乱した状態になり誤り訂正特性が向上し、受信側における復調精度が向上する。
【００８０】
なお、第１の実施形態から第４の実施形態では周波数領域におけるインターリーブの例を示したが、時間領域におけるインターリーブにも使用可能である。
また、第１から第４の実施形態において、インターリーブ部１００４、１０３４、１０４４は、インターリーブを第一段階と第二段階とに分けて処理を行うように説明したが、第一段階と第二段階とに処理を分けずに、第一段階と第二段階とを併せた処理結果（各サブキャリアの再配置の位置）を予め記憶しておき、この処理結果の位置にサブキャリアを再配置してもよい。また、処理結果を予め記憶しておくのではなく、（１）〜（４）式のような式を用いて再配置の位置を算出し、該位置にサブキャリアを再配置してもよい。また、第１から第４の実施形態において、デインターリーブ部１０１９は、デインターリーブを第一段階と第二段階とに分けて処理を行うように説明したが、第一段階と第二段階とに処理を分けずに、第一段階と第二段階とを併せた処理結果（各サブキャリアの再配置の位置）を予め記憶しておき、この処理結果の位置にサブキャリアを再配置してもよい。また、処理結果を予め記憶しておくのではなく、（１）〜（４）式の逆関数を用いて再配置の位置を算出し、該位置にサブキャリアを再配置してもよい。
【００８１】
なお、インターリーブ部１００４、１０３４、１０４４およびデインターリーブ部１０１９は専用のハードウェアにより実現されるものであってもよく、また、これらの各部はメモリおよびＣＰＵ（中央演算装置）により構成され、各部の機能を実現するためのプログラムをメモリにロードして実行することによりその機能を実現させるものであってもよい。
【００８２】
以上、この発明の実施形態を、図面を参照して詳述してきたが、具体的な構成はこの実施形態に限られるものではなく、この発明の要旨を逸脱しない範囲の設計等も含まれる。
【産業上の利用可能性】
【００８３】
本発明は、携帯電話などの移動体通信システムに用いて好適であるが、これに限定されない。
【図面の簡単な説明】
【００８４】
【図１】この発明の第１の実施形態による送信フレームフォーマットを説明する図である。
【図２】同実施形態における無線送信装置の構成を示す概略ブロック図である。
【図３】同実施形態におけるインターリーブ部１００４によるインターリーブを説明する図である。
【図４】同実施形態における無線受信装置の構成を示す概略ブロック図である。
【図５】この発明の第２の実施形態によるインターリーブ部１００４によるインターリーブを説明する図である。
【図６】送信フレームの構成とこの構成に対応した階段状位相回転送信ダイバーシチＳＰＲ−ＴＤの伝搬路応答の例である。
【図７】この発明の第３の実施形態による無線送信装置の構成を示す概略ブロック図である。
【図８】同実施形態における位相回転部１０２３−１〜１０２３−６の内部構成を示す概略ブロック図である。
【図９】同実施形態におけるインターリーブ部１０３４によるインターリーブを説明する図である。
【図１０】この発明の第４の実施形態による無線送信装置の構成を示す概略ブロック図である。
【図１１】同実施形態におけるインターリーブ部１０４４によるインターリーブを説明する図である。
【図１２】送信フレームの構成とこの構成に対応した周波数切換送信ダイバーシチＦＳＴＤの伝搬路応答の例である。
【図１３】従来のマルチキャリア伝送方式における周波数インターリーブの方法の例を説明する図である。
【図１４】伝搬路推定用シンボルが送信フレームの先頭のシンボル内に等間隔で配置されている場合の例である。
【図１５】伝搬路推定用シンボルの挿入間隔で周波数インターリーブを行う場合の例である。
【符号の説明】
【００８５】
１００１…符号化部
１００２…伝搬路推定用シンボル生成部
１００３…Ｓ／Ｐ変換部
１００４、１０３４、１０４４…インターリーブ部
１００５、１００５ａ…ＩＦＦＴ部
１００６、１００６ａ…Ｐ／Ｓ変換部
１００７、１００７ａ…ＧＩ付加部
１００８、１００８ａ…Ｄ／Ａ変換
１００９、１００９ａ…ＲＦ部
１０１０、１０１０ａ…送信アンテナ
１０１１…受信アンテナ
１０１２…ＲＦ部
１０１３…Ａ／Ｄ変換部
１０１４…ＧＩ除去部
１０１５…Ｓ／Ｐ変換部
１０１６…ＦＦＴ部
１０１７…伝搬路補償部
１０１８…伝搬路推定部
１０１９…デインターリーブ部
１０２０…Ｐ／Ｓ変換部
１０２１…復号化部
１０２２…回転量設定部
１０２３−１、１０２３−２、１０２３−３、１０２３−４、１０２３−５、１０２３−６…位相回転部
１０２５−１、１０２５−２、１０２５−３、１０２５−４、１０２５−５、１０２５−６…アンテナ切替部
１０２６…アンテナ選択部
【図１】
2009021934.tif 000003
【図２】
2009021934.tif 000004
【図３】
2009021934.tif 000005
【図４】
2009021934.tif 000006
【図５】
2009021934.tif 000007
【図６】
2009021934.tif 000008
【図７】
2009021934.tif 000009
【図８】
2009021934.tif 000010
【図９】
2009021934.tif 000011
【図１０】
2009021934.tif 000012
【図１１】
2009021934.tif 000013
【図１２】
2009021934.tif 000014
【図１３】
2009021934.tif 000015
【図１４】
2009021934.tif 000016
【図１５】
2009021934.tif 000017